(57)【要約】      （修正有）【課題】表示画面の各サブ表示画面のトポロジー構造を自動的に検知することで、表示画面のデバッグをより速く実現することができる表示デバイス及び表示制御方法を提供する。【解決手段】表示デバイスは、表示画面と検知装置とを備える。前記表示画面は、アレイ状に配置された複数のサブ表示画面を含む。前記複数のサブ表示画面は表示チャネルを介して接続され、第１トポロジーを形成する。前記複数のサブ表示画面はさらに、予め設定された第２トポロジーに従って情報チャネルを介して接続される。前記検知装置は、表示画面の基本情報を取得し、前記基本情報及び前記第２トポロジーに基づいて前記第１トポロジーを確定するために用いられる。【選択図】図２
2019045837.tif 000002
【特許請求の範囲】
【請求項１】
表示デバイスであって、表示画面と検知装置とを備え、
前記表示画面は、アレイ状に配置された複数のサブ表示画面を含み、前記複数のサブ表示画面は表示チャネルを介して接続され、第１トポロジーを形成し、前記複数のサブ表示画面はさらに、予め設定された第２トポロジーに従って情報チャネルを介して接続されており、
前記検知装置は、表示画面の基本情報を取得し、前記基本情報及び前記第２トポロジーに基づいて前記第１トポロジーを確定するために用いられる、ことを特徴とする表示デバイス。
【請求項２】
前記検知装置は、情報抽出モジュールと検知モジュールとを備え、
前記情報抽出モジュールは、表示画面の基本情報を取得し、各サブ表示画面により受信された検知画像のデータを、情報チャネルを介して読み取るために用いられ、前記基本情報は表示画面及び各サブ表示画面の解像度を含み、
前記検知モジュールは、表示画面の基本情報に基づいて検知画像を生成して、表示チャネルを介して表示画面の各サブ表示画面に提供し、前記第２トポロジーと情報抽出モジュールからの各サブ表示画面により受信された検知画像のデータとに基づいて第１トポロジーを確定するために用いられ、前記検知画像は、サブ表示画面の表示画面における位置に対応する情報を運ぶ、ことを特徴とする請求項１に記載の表示デバイス。
【請求項３】
前記表示画面の解像度は、人為的に設定されるものであり、前記各サブ表示画面の解像度は、前記情報チャネルを介して各表示画面から抽出されるものである、ことを特徴とする請求項２に記載の表示デバイス。
【請求項４】
前記表示デバイスは表示データ送信装置をさらに備え、前記表示データ送信装置は、検知装置により確定された第１トポロジーに従って表示データを順序付け且つ表示チャネルを介して表示画面に供給するために用いられ、
前記検知装置は切換モジュールをさらに備え、前記切換モジュールは、検知段階で検知モジュールを表示画面の表示チャネルに接続し、表示段階で表示データ送信装置を表示画面の表示チャネルに接続するために用いられる、ことを特徴とする請求項２に記載の表示デバイス。
【請求項５】
前記検知モジュールは、画像生成ユニットとトポロジー計算ユニットとを備え、
前記画像生成ユニットは、表示画面の解像度に基づいて検知画像を生成し、各サブ表示画面の解像度に基づいて検知画像を複数のサブセクションに分割するために用いられ、各サブセクションは一つのサブ表示画面に対応し、前記複数のサブセクションは、予め設定された第３トポロジーに従って順序付けられ、
前記トポロジー計算ユニットは、前記第２トポロジーに基づいて各サブ表示画面のアレイにおける位置を確定し、各サブ表示画面により受信されたサブセクションの検知画像における位置とサブ表示画面のアレイにおける位置との関係に基づいて第３トポロジーを調整して、第１トポロジーを得るために用いられる、ことを特徴とする請求項２に記載の表示デバイス。
【請求項６】
前記検知画像は、表示画面の解像度に対応するマトリックスを含み、前記マトリックスは、各サブ表示画面の解像度に基づいて複数のサブマトリックスに分割され、各サブマトリックスは一つのサブ表示画面に対応し、各サブマトリックスのデータ要素は、該サブマトリックスのマトリックスにおける位置を示し、前記複数のサブマトリックスの送信順序は前記第３トポロジーに従って確定される、ことを特徴とする請求項５に記載の表示デバイス。
【請求項７】
前記検知画像は表示画面の解像度に対応するマトリックスを含み、マトリックスの各データ要素は、前記表示画面の１つの画素点の位置を示す、前記マトリックスは、各サブ表示画面の解像度に基づいて複数のサブマトリックスに分割され、各サブマトリックスは１つのサブ表示画面に対応し、前記複数のサブマトリックスの送信順序は前記第３トポロジーに従って確定される、ことを特徴とする請求項５に記載の表示デバイス。
【請求項８】
前記情報チャネルは、単方向の情報送信チャネル及び単方向の情報返送チャネルを含む、ことを特徴とする請求項１〜７のいずれか一項に記載の表示デバイス。
【請求項９】
前記情報チャネルは双方向チャネルである、ことを特徴とする請求項１〜７のいずれか一項に記載の表示デバイス。
【請求項１０】
前記情報チャネルはシリアルチャネル又はパラレルチャネルである、ことを特徴とする請求項１〜７のいずれか一項に記載の表示デバイス。
【請求項１１】
表示制御方法であって、
表示画面の基本情報を取得するステップであって、前記表示画面は、アレイ状に配置された複数のサブ表示画面を含み、前記複数のサブ表示画面は表示チャネルを介して接続され第１トポロジーを形成し、情報チャネルは予め設定された第２トポロジーに従って各サブ表示画面を接続するステップと、
前記基本情報及び前記第２トポロジーに基づいて前記第１トポロジーを確定するステップとを含む、ことを特徴とする表示制御方法。
【請求項１２】
前記基本情報は、表示画面及び各サブ表示画面の解像度を含み、前記基本情報及び前記第２トポロジーに基づいて前記第１トポロジーを確定する前記ステップは、
前記基本情報に基づいて、サブ表示画面の表示画面における位置に対応する情報を運ぶ検知画像を生成し、表示チャネルを介して表示画面の各サブ表示画面に提供するステップと、
情報チャネルを介して、各サブ表示画面により受信された検知画像のデータを読み取るステップと、
前記第２トポロジー及び前記各サブ表示画面により受信された検知画像のデータに基づいて、第１トポロジーを確定するステップとを含む、ことを特徴とする請求項１１に記載の表示制御方法。
【請求項１３】
前記表示画面の解像度は、人為的に設定されたものであり、前記各サブ表示画面の解像度は、前記情報チャネルを介して抽出されたものである、ことを特徴とする請求項１２に記載の表示制御方法。
【請求項１４】
第１トポロジーを確定した後、確定された第１トポロジーに従って表示データを順序付け且つ表示チャネルを介して表示画面に提供するステップをさらに含む、請求項１２に記載の表示制御方法。
【請求項１５】
前記基本情報に基づいて検知画像を生成する前記ステップは、表示画面の解像度に基づいて検知画像を生成し、各サブ表示画面の解像度に基づいて検知画像を複数のサブセクションに分割し、各サブセクションは一つのサブ表示画面に対応し、前記複数のサブセクションは、予め設定された第３トポロジーに従って順序付けられるステップを含み、
前記第２トポロジー及び前記各サブ表示画面により受信された検知画像のデータに基づいて第１トポロジーを確定する前記ステップは、前記第２トポロジーに基づいて各サブ表示画面のアレイにおける位置を確定し、各サブ表示画面により受信されたサブセクションの検知画像における位置とサブ表示画面のアレイにおける位置との関係に基づいて第３トポロジーを調整することで、第１トポロジーを得るステップを含む、ことを特徴とする請求項１２に記載の表示制御方法。
【請求項１６】
前記検知画像は、表示画面の解像度に対応するサイズを有するマトリックスを含み、前記マトリックスは、各サブ表示画面の解像度に基づいて複数のサブマトリックスに分割され、各サブマトリックスは一つのサブ表示画面に対応し、各サブマトリックスのデータ要素は、該サブマトリックスのマトリックスにおける位置を示し、前記複数のサブマトリックスの送信順序は前記第３トポロジーに従って確定される、ことを特徴とする請求項１５に記載の表示制御方法。
【請求項１７】
前記検知画像は、表示画面の解像度に対するサイズを有するマトリックスを含み、マトリックスの各データ要素は、該データ要素のマトリックスにおける位置を示し、前記マトリックスは、各サブ表示画面の解像度に基づいて複数のサブマトリックスに分割され、各サブマトリックスは１つのサブ表示画面に対応し、前記複数のサブマトリックスの送信順序は前記第３トポロジーに従って確定される、ことを特徴とする請求項１５に記載の表示制御方法。
【請求項１８】
前記情報チャネルを介して各サブ表示画面により受信された検知画像のデータを読み取る前記ステップは、情報チャネルを介して各サブ表示画面により受信されたサブマトリックス中の指定位置のデータ要素を読み取るステップを含む、ことを特徴とする請求項１６又は１７に記載の表示制御方法。
【請求項１９】
各サブ表示画面により受信された検知画像のデータとサブ表示画面のアレイにおける位置との関係に基づいて、第３トポロジーを調整する前記ステップは、  
各サブ表示画面に対して、該サブ表示画面により受信されたサブマトリックス中の指定位置のデータ要素に基づいて、該サブ表示画面により受信されたサブマトリックスのマトリックスにおける位置を確定しており、該サブ表示画面により受信されたサブマトリックスのマトリックスにおける位置が該サブ表示画面のアレイにおける位置と一致していない場合、第３トポロジーにおいて該サブマトリックスを、該サブ表示画面のアレイにおける位置に対応するサブマトリックスに置換するステップを含む、ことを特徴とする請求項１８に記載の表示制御方法。
【発明の詳細な説明】
【技術分野】
【０００１】
本発明は表示制御技術の分野に関し、具体的に、表示デバイス及び表示制御方法に関する。
【背景技術】
【０００２】
表示技術の発展に伴い、画質に対する要求がますます高くなっている。画像の解像度は全高解像度（ＦＨＤ、Ｆｕｌｌ  Ｈｉｇｈ  Ｄｅｆｉｎｉｔｉｏｎ）（１９２０×１０８０）から４Ｋ（３８４０×２１６０）、さらに８Ｋ（７６８０×４３２０）まで高まってきていることは非常に重要なポイントである。解像度が高まるにつれて、単一で独立した表示画面による表示はますます難しくなっている。具体的には、画像の解像度が高いほど、表示画面のサイズを大きくする必要があることを意味し、表示画面の製品歩留まりが低下し易くなる。そのため、通常、複数の低解像度のサブ表示画面を一緒に組み立て、１つの高解像度の表示画面を形成する。
【０００３】
サブ表示画面の接続関係が異なることにより、各サブ表示画面に送信された表示データの順序が異なる。そのため、デバイスをデバッグする際に、各サブ表示画面の接続関係、即ち、トポロジー構造を決定し、そしてトポロジー構造に応じて表示データの順序を調整し、順序付けられた表示データを、表示のために表示画面の各サブ表示画面に提供する必要がある。サブ表示画面のトポロジーを調整すると、対応する設置を再度行う必要がある。これらの作業には、多くの時間と労力がかかる。
【発明の概要】
【発明が解決しようとする課題】
【０００４】
よって、本開示は、表示画面の各サブ表示画面のトポロジー構造を自動的に検知することで、表示画面のデバッグをより速く実現することができる表示デバイス及び表示制御方法を提供する。
【課題を解決するための手段】
【０００５】
本開示の一態様によれば、表示デバイスが提供される。前記表示デバイスは、表示画面と検知装置とを備える。前記表示画面は、アレイ状に配置された複数のサブ表示画面を含む。前記複数のサブ表示画面は表示チャネルを介して接続され、第１トポロジーを形成する。前記複数のサブ表示画面はさらに、予め設定された第２トポロジーに従って情報チャネルを介して接続される。前記検知装置は、表示画面の基本情報を取得し、前記基本情報及び前記第２トポロジーに基づいて前記第１トポロジーを確定するために用いられる。
【０００６】
好ましくは、前記検知装置は、情報抽出モジュール及び検知モジュールを備える。前記情報抽出モジュールは、表示画面の基本情報を取得し、各サブ表示画面により受信された検知画像のデータを、情報チャネルを介して読み取るために用いられる。前記基本情報は、表示画面及び各サブ表示画面の解像度を含む。前記検知モジュールは、情報抽出モジュールからの基本情報に基づいて検知画像を生成し、表示チャネルを介して表示画面の各サブ表示画面に提供しており、前記第２トポロジーと情報抽出モジュールからの各サブ表示画面により受信された検知画像のデータとに基づいて第１トポロジーを確定するために用いられる。前記検知画像は、サブ表示画面の表示画面における位置に対応する情報を運ぶ。
【０００７】
好ましくは、前記表示画面の解像度は、人為的に設定されるものであり、前記各サブ表示画面の解像度は、前記情報チャネルを介して各表示画面から抽出されるものである。
【０００８】
好ましくは、前記表示デバイスは表示データ送信装置をさらに備える。前記表示データ送信装置は、検知装置により確定された第１トポロジーに従って表示データを順序付け且つ表示チャネルを介して表示画面に供給するために用いられる。前記検知装置は切換モジュールをさらに備える。前記切換モジュールは、検知段階で検知モジュールを表示画面の表示チャネルに接続し、表示段階で表示データ送信装置を表示画面の表示チャネルに接続するために用いられる。
【０００９】
好ましくは、前記検知モジュールは、画像生成ユニット及びトポロジー計算ユニットを備える。前記画像生成ユニットは、表示画面の解像度に基づいて検知画像を生成し、各サブ表示画面の解像度に基づいて検知画像を複数のサブセクションに分割するために用いられる。各サブセクションは一つのサブ表示画面に対応し、前記複数のサブセクションは、予め設定された第３トポロジーに従って順序付けられる。前記トポロジー計算ユニットは、前記第２トポロジーに基づいて各サブ表示画面のアレイにおける位置を確定し、各サブ表示画面により受信されたサブセクションの検知画像における位置とサブ表示画面のアレイにおける位置との関係に基づいて第３トポロジーを調整して、第１トポロジーを得るために用いられる。
【００１０】
好ましくは、前記検知画像は、表示画面の解像度に対応するマトリックスを含み、前記マトリックスは、各サブ表示画面の解像度に基づいて複数のサブマトリックスに分割され、各サブマトリックスは一つのサブ表示画面に対応し、各サブマトリックスのデータ要素は、該サブマトリックスのマトリックスにおける位置を示し、前記複数のサブマトリックスの送信順序は前記第３トポロジーに従って確定される。
【００１１】
好ましくは、前記検知画像は表示画面の解像度に対応するマトリックスを含み、マトリックスの各データ要素は、前記表示画面の１つの画素点の位置を示す、前記マトリックスは、各サブ表示画面の解像度に基づいて複数のサブマトリックスに分割され、各サブマトリックスは１つのサブ表示画面に対応し、前記複数のサブマトリックスの送信順序は前記第３トポロジーに従って確定される。
【００１２】
好ましくは、前記情報チャネルは、単方向の情報送信チャネル及び単方向の情報返送チャネルを含む。
【００１３】
好ましくは、前記情報チャネルは双方向チャネルである。
【００１４】
好ましくは、前記情報チャネルはシリアルチャネル又はパラレルチャネルである。
【００１５】
本開示の他の態様によれば、表示制御方法が提供される。前記表示制御方法は、表示画面の基本情報を取得するステップであって、前記表示画面は、アレイ状に配置された複数のサブ表示画面を含み、前記複数のサブ表示画面は表示チャネルを介して接続され第１トポロジーを形成し、情報チャネルは予め設定された第２トポロジーに従って各サブ表示画面を接続するステップと、前記基本情報及び前記第２トポロジーに基づいて前記第１トポロジーを確定するステップとを含む。
【００１６】
好ましくは、前記基本情報は、表示画面及び各サブ表示画面の解像度を含む。前記基本情報及び前記第２トポロジーに基づいて前記第１トポロジーを確定する前記ステップは、前記基本情報に基づいて、サブ表示画面の表示画面における位置に対応する情報を運ぶ検知画像を生成し、表示チャネルを介して表示画面の各サブ表示画面に提供するステップと、情報チャネルを介して、各サブ表示画面により受信された検知画像のデータを読み取るステップと、前記第２トポロジー及び前記各サブ表示画面により受信された検知画像のデータに基づいて、第１トポロジーを確定するステップとを含む。
【００１７】
好ましくは、前記表示制御方法は、第１トポロジーを確定した後、確定された第１トポロジーに従って表示データを順序付け且つ表示チャネルを介して表示画面に提供するステップをさらに含む。
【００１８】
好ましくは、前記基本情報に基づいて検知画像を生成する前記ステップは、表示画面の解像度に基づいて検知画像を生成し、各サブ表示画面の解像度に基づいて検知画像を複数のサブセクションに分割し、各サブセクションは一つのサブ表示画面に対応し、前記複数のサブセクションは、予め設定された第３トポロジーに従って順序付けられるステップを含む。前記第２トポロジー及び前記各サブ表示画面により受信された検知画像のデータに基づいて第１トポロジーを確定する前記ステップは、前記第２トポロジーに基づいて各サブ表示画面のアレイにおける位置を確定し、各サブ表示画面により受信されたサブセクションの検知画像における位置とサブ表示画面のアレイにおける位置との関係に基づいて第３トポロジーを調整することで、第１トポロジーを得るステップを含む。
【００１９】
好ましくは、前記表示画面の解像度は、人為的に設定されたものであり、前記各サブ表示画面の解像度は、前記情報チャネルを介して抽出されたものである。
【００２０】
好ましくは、前記検知画像は、表示画面の解像度に対応するサイズを有するマトリックスを含む。前記マトリックスは、各サブ表示画面の解像度に基づいて複数のサブマトリックスに分割され、各サブマトリックスは一つのサブ表示画面に対応し、各サブマトリックスのデータ要素は、該サブマトリックスのマトリックスにおける位置を示し、前記複数のサブマトリックスの送信順序は前記第３トポロジーに従って確定される。
【００２１】
好ましくは、前記検知画像は、表示画面の解像度に対するサイズを有するマトリックスを含む。マトリックスの各データ要素は、該データ要素のマトリックスにおける位置を示し、前記マトリックスは、各サブ表示画面の解像度に基づいて複数のサブマトリックスに分割され、各サブマトリックスは１つのサブ表示画面に対応し、前記複数のサブマトリックスの送信順序は前記第３トポロジーに従って確定される。
【００２２】
好ましくは、前記情報チャネルを介して各サブ表示画面により受信された検知画像のデータを読み取る前記ステップは、情報チャネルを介して各サブ表示画面により受信されたサブマトリックス中の指定位置のデータ要素を読み取るステップを含む。
【００２３】
好ましくは、各サブ表示画面により受信された検知画像のデータとサブ表示画面のアレイにおける位置との関係に基づいて、第３トポロジーを調整する前記ステップは、  各サブ表示画面に対して、該サブ表示画面により受信されたサブマトリックス中の指定位置のデータ要素に基づいて、該サブ表示画面により受信されたサブマトリックスのマトリックスにおける位置を確定しており、該サブ表示画面により受信されたサブマトリックスのマトリックスにおける位置が該サブ表示画面のアレイにおける位置と一致していない場合、第３トポロジーにおいて該サブマトリックスを、該サブ表示画面のアレイにおける位置に対応するサブマトリックスに置換するステップを含む。
【図面の簡単な説明】
【００２４】
本開示の実施形態による技術案をより明確に説明するために、以下では、実施形態の図面を簡単に説明する。以下の説明に係る図面は、単に本開示の幾つかの実施形態に関するものであり、本開示を制限するものではない。
【００２５】
【図１Ａ−１Ｂ】図１Ａと図１Ｂは、異なる表示画面トポロジーを有する表示デバイスの模式図をそれぞれ示す。
【図２】図２は、本開示の実施形態による表示デバイスの構造ブロック図を示す。
【図３Ａ】図３Ａは、本開示の１つの実施形態による表示デバイス中の情報チャネルの模式図を示す。
【図３Ｂ】図３Ｂは、本開示の別の実施形態による表示デバイス中の情報チャネルの模式図を示す。
【図３Ｃ】図３Ｃは、本開示の他の実施形態による表示デバイス中の情報チャネルの模式図を示す。
【図４Ａ】図４Ａは、本開示の１つの実施形態による検知画像の模式図を示す。
【図４Ｂ】図４Ｂは、本開示の別の実施形態による検知画像の模式図を示す。
【図５】図５は、本開示の実施形態による検知モジュールの構造模式図を示す。
【図６】図６は、本開示の別の実施形態による表示デバイスの構造ブロック図を示す。
【図７】図７は、本開示の実施形態による表示制御方法の概略フローチャートを示す。
【発明を実施するための形態】
【００２６】
以下では、本開示の実施形態の目的、技術手段及び利点を更に明確にするために、本開示の実施形態に係る添付図面を参照しながら、本開示の実施形態に係る技術手段を明確かつ完全に説明する。当然のことながら、ここで説明する実施形態は本開示の諸実施形態の全てではなく一部にすぎない。当業者が創造的な作業なしに本開示の諸実施形態に基づいて得る他の全ての実施形態は、本開示の保護範囲に入る。
【００２７】
図１Ａと図１Ｂは、異なる表示画面トポロジーを有する表示デバイスの模式図をそれぞれ示す。図１Ａと図１Ｂに示されるように、表示デバイス１００は表示画面１１０及び表示データ送信装置１２０を備える。前記表示画面１１０は、３×３アレイ状に配置された９個のサブ表示画面Ｄ１１、Ｄ１２、Ｄ１３、Ｄ２１、Ｄ２２、Ｄ２３、Ｄ３１、Ｄ３２及びＤ３３（以下、サブ表示画面Ｄと総称する）を含む。各表示画面Ｄは、表示チャネル（図中の矢印線で示す）を介して接続されている。
【００２８】
図１Ａにおいて、各サブ表示画面Ｄは、行でカスケード接続され、即ち、Ｄ１１、Ｄ１２、Ｄ１３、Ｄ２３、Ｄ２２、Ｄ２１、Ｄ３１、Ｄ３２、Ｄ３３の順序に従って順に接続される。表示データ送信装置１２０は、各サブ表示画面Ｄに対応して、例えば画像や映像などの表示データを分割し、この順序に従って分割後の表示データを順序付けて、対応するサブ表示画面Ｄに表示させる。
【００２９】
図１Ｂにおいて、各サブ表示画面Ｄは、列でカスケード接続され、即ち、Ｄ１１、Ｄ２１、Ｄ３１、Ｄ３２、Ｄ２２、Ｄ１２、Ｄ１３、Ｄ２３、Ｄ３３の順序に従って順に接続される。表示データ送信装置１２０は、各サブ表示画面Ｄに対応して表示データを分割し、この順序に従って分割後の表示データを順序付けて、表示のために対応するサブ表示画面Ｄに提供する。
【００３０】
このことから、図１Ａ及び図１Ｂでは、同じ位置のサブ表示画面Ｄに表示される画像領域は同じであるが、サブ表示画面Ｄの接続関係が異なるため、表示データ送信装置１２０が提供する表示データの順序は異なることが分かる。表示画面の解像度の増加に伴い、必要なサブ表示画面の数が増加し、接続関係（即ち、トポロジー）もより複雑になる。例えば、６×９以上のサブ表示画面アレイが必要とされる可能性があり、トポロジーは、カスケード接続と並列接続の混合構造又は他の構造に拡張される可能性もある。この結果、表示デバイスを取り付け、デバッグするときに、表示データ送信装置によって提供される表示データを表示画面のトポロジーに一致させるために、多くの時間及び労力が必要とされる。
【００３１】
図２は、本開示の実施形態による表示デバイスの構造ブロック図を示す。図２に示されるように、表示デバイス２００は表示画面２１０及び検知装置２２０を備える。表示画面２１０は、アレイ状に配置された複数のサブ表示画面を含んでもよい。本実施形態において、各サブ表示画面は同じであってもよく、例えば、同じ構造、同じ配置、同じ用途などを有してもよい。当然のことながら、本開示の実施形態はこれに限定されず、各サブ表示画面は異なるものであってもよく、或いは少なくとも一部が異なるものであってもよい。例えば、必要に応じて、異なる構造、配置、用途などを有するサブ表示画面が選択されてもよい。使用時には、様々位置におけるサブ表示画面の位置を任意に調整しても、通常の表示を実現することができる。
【００３２】
図３Ａは、図２の表示画面２１０の例示的な構造のブロック図を示す。図３Ａに示されるように、表示画面２１０は、３×３アレイ状に配置された９個のサブ表示画面Ｄ１１、Ｄ１２、Ｄ１３、Ｄ２１、Ｄ２２、Ｄ２３、Ｄ３１、Ｄ３２及びＤ３３（以下、サブ表示画面Ｄと総称する）を含む。各サブ表示画面Ｄは、表示チャネル（図中の太い矢印線で示す）を介して接続されて第１トポロジーを形成し、情報チャネル（図中の細い矢印線で示す）を介して接続されて第２トポロジーを形成する。表示チャネルは、サブ表示画面Ｄに、例えば画像や映像などの表示データを伝送するために用いられる。情報チャネルは、サブ表示画面Ｄに情報を提供し、サブ表示画面Ｄから情報を受信するために用いられる。表示チャネルは、組み立て時に任意に接続されてもよい。一方、情報チャネルの接続方式は決定されている。これは、通常、表示チャネルの接続は高速で複雑であり、情報チャネルは低速で簡単であるからである。言い換えれば、通常、第１トポロジーは未知のもの又は部分的に既知のものである。第２トポロジーは予め設定されたもの、即ち既知のものである。従って、既知の第２トポロジー、及び情報チャネルを介して得られた情報に基づいて、第１トポロジーを推定することができる。図３Ａの実施形態において、第１トポロジーは列でカスケード接続され、即ち、サブ表示画面Ｄは表示チャネルを介してＤ１１、Ｄ２１、Ｄ３１、Ｄ３２、Ｄ２２、Ｄ１２、Ｄ１３、Ｄ２３、Ｄ３３の順序に従って順に接続される。第２トポロジーは行でカスケード接続され、即ち、サブ表示画面ＤはＤ１１、Ｄ１２、Ｄ１３、Ｄ２３、Ｄ２２、Ｄ２１、Ｄ３１、Ｄ３２、Ｄ３３の順序に従って順に接続される。しかしながら、当業者であれば、第１トポロジー及び第２トポロジーはこれに限定されず、必要に応じて任意の可能な形式、例えば並列接続、カスケード接続と並列接続との混合、又は他のトポロジー構造で配置されてもよい。図３Ａの実施形態において、情報チャネルは双方向チャネルであり、各サブ表示画面Ｄは、Ｄ１１、Ｄ１２、Ｄ１３、Ｄ２３、Ｄ２２、Ｄ２１、Ｄ３１、Ｄ３２、Ｄ３３の順序に従って双方向に情報を伝送する。例えば、各サブ表示画面Ｄから情報を読み取る場合には、一組の読み取り命令を第１段のサブ表示画面Ｄ１１に送信し、第１段のサブ表示画面Ｄ１１は、該一組の読み取り命令を第２段のサブ表示画面Ｄ１２に伝送し、第２段のサブ表示画面Ｄ１２は、該一組の読み取り命令を第３段のサブ表示画面Ｄ１３に伝送するように、最後に最終段のサブ表示画面Ｄ３３に伝送することができる。この過程で、その中のあるサブ表示画面（例えば、サブ表示画面Ｄ２３）が自身の読み取り命令を受信すると、それは、返送の必要がある情報を段階的に返送することができる。例えば、サブ表示画面Ｄ２３は、返送の必要がある情報をサブ表示画面Ｄ１３、Ｄ１２及びＤ１１を順に介して返送する。
【００３３】
図３Ｂは、図２の表示画面２１０の別の例示的な構造のブロック図を示す。図３Ｂに示されるように、図３Ａと同様に、表示画面２１０は、アレイ状に配置された複数のサブ表示画面Ｄ１１、Ｄ１２、Ｄ１３、Ｄ２１、Ｄ２２、Ｄ２３、Ｄ３１、Ｄ３２及びＤ３３（以下、サブ表示画面Ｄと総称する）を含む。各サブ表示画面Ｄは、表示チャネル（図中の太い矢印線で示す）を介して接続されて第１トポロジーを形成し、情報チャネル（図中の細い矢印線で示す）を介して接続されて第２トポロジーを形成する。表示チャネルは、サブ表示画面Ｄに、例えば画像や映像などの表示データを伝送するために用いられる。情報チャネルは、サブ表示画面Ｄに情報を提供し、サブ表示画面Ｄから情報を受信するために用いられる。通常、第１トポロジーは未知のもの又は部分的に既知のものである。第２トポロジーは予め設定されたもの、即ち既知のものである。従って、既知の第２トポロジー、及び情報チャネルを介して得られた情報に基づいて、第１トポロジーを推定することができる。図３Ａとは異なり、図３Ｂの実施形態では、第１トポロジーは行でカスケード接続され、即ち、サブ表示画面Ｄは表示チャネルを介してＤ１１、Ｄ１２、Ｄ１３、Ｄ２３、Ｄ２２、Ｄ２１、Ｄ３１、Ｄ３２、Ｄ３３の順序に従って順に接続される。第２トポロジーは列でカスケード接続され、即ち、サブ表示画面Ｄは情報チャネルを介してＤ１１、Ｄ２１、Ｄ３１、Ｄ３２、Ｄ２２、Ｄ１２、Ｄ１３、Ｄ２３、Ｄ３３の順序に従って順に接続される。しかしながら、当業者であれば、第１トポロジー及び第２トポロジーはこれに限定されず、必要に応じて任意の可能な形式、例えば並列接続、カスケード接続と並列接続との混合、又は他のトポロジー構造で配置されてもよい。さらに、図３Ａと異なり、図３Ｂの実施形態では、情報チャネルは、情報送信チャネル及び情報返送チャネルを含む単方向チャネルである。各サブ表示画面Ｄは、情報送信チャネルを介してＤ１１、Ｄ２１、Ｄ３１、Ｄ３２、Ｄ２２、Ｄ１２、Ｄ１３、Ｄ２３、Ｄ３３の順序に従って情報を単方向に伝送し、最終段のサブ表示画面Ｄ３３は情報返送チャネルを介して情報を返送する。例えば、各サブ表示画面Ｄから情報を読み取る場合には、一組の読み取り命令を第１段のサブ表示画面Ｄ１１に送信し、第１段のサブ表示画面Ｄ１１は、該一組の読み取り命令を第２段のサブ表示画面Ｄ２１に伝送し、第２段のサブ表示画面Ｄ２１は、該一組の読み取り命令を第３段のサブ表示画面Ｄ３１に伝送するように、最後に最終段のサブ表示画面Ｄ３３に伝送することができる。この過程で、その中のあるサブ表示画面（例えば、サブ表示画面Ｄ２２）が自身の読み取り命令を受信すると、それは、この読み取り命令を返送の必要がある情報に置き換え、例えば、サブ表示画面Ｄ２２に対する読み取り命令を、このサブ表示画面Ｄ２２により返送する必要がある情報に置き換え、その後、次段のサブ表示画面Ｄ１２に伝送することができる。このような単方向伝送及び置換によって、最終段のサブ表示画面Ｄ３３では、返送の必要があるすべての情報を取得して、情報返送チャネルを介して返送することができる。互いに独立した情報送信チャネル及び情報返送チャネルを用いて単方向伝送を行うことによって、各サブ表示画面の設計の難易度を簡単化することができる。
【００３４】
図３Ｃは、図２の表示画面２１０の別の例示的な構造のブロック図を示す。図３Ｃに示されるように、図３Ａ及び図３Ｂと同様に、表示画面２１０は、アレイ状に配置された複数のサブ表示画面Ｄ１１、Ｄ１２、Ｄ１３、Ｄ２１、Ｄ２２、Ｄ２３、Ｄ３１、Ｄ３２及びＤ３３（以下、サブ表示画面Ｄと総称する）を含む。各サブ表示画面Ｄは、表示チャネル（図中の太い矢印線で示す）を介して接続されて第１トポロジーを形成し、情報チャネル（図中の細い矢印線で示す）を介して接続されて第２トポロジーを形成する。表示チャネルは、サブ表示画面Ｄに、例えば画像や映像などの表示データを伝送するために用いられる。情報チャネルは、サブ表示画面Ｄに情報を提供し、サブ表示画面Ｄから情報を受信するために用いられる。通常、第１トポロジーは未知のもの又は部分的に既知のものである。第２トポロジーは予め設定されたもの、即ち既知のものである。従って、既知の第２トポロジー、及び情報チャネルを介して得られた情報に基づいて、第１トポロジーを推定することができる。図３Ａと同様に、第１トポロジーは列でカスケード接続され、即ち、サブ表示画面Ｄは表示チャネルを介してＤ１１、Ｄ２１、Ｄ３１、Ｄ３２、Ｄ２２、Ｄ１２、Ｄ１３、Ｄ２３、Ｄ３３の順序に従って順に接続される。しかしながら、図３Ａ及び３Ｂのシリアル情報チャネルとは異なり、図３Ｃの情報チャネルはパラレル情報チャネルであり、即ち、各サブ表示画面Ｄは、単独の情報チャネルによって外部に情報を伝送する。図３Ｃの実施形態において、サブ表示画面Ｄ１１、Ｄ１２、Ｄ１３、Ｄ２１、Ｄ２２、Ｄ２３、Ｄ３１、Ｄ３２、Ｄ３３は、情報チャネルＴ１１、Ｔ１２、Ｔ１３、Ｔ２１、Ｔ２２、Ｔ２３、Ｔ３１、Ｔ３２、Ｔ３３（以下、情報チャネルＴと総称する）にそれぞれ接続される。図３Ｃの実施形態において、各情報チャネルＴは双方向チャネルであるので、各サブ表示画面Ｄは情報チャネルを介して外部から情報を受信し外部に情報を送信することができる。
【００３５】
図３Ａ、３Ｂ及び３Ｃでは、３×３アレイを例として説明したが、本開示の実施形態に係る表示画面の構造はこれに限定されず、必要に応じてサブ表示画面の数及びアレイ構造は任意に設定できることは当業者には明らかである。上記の表示チャネルと情報チャネルの構造は単なる一例であり、本開示の実施形態はこれに限定されない。表示チャネルと情報チャネルの数と配置は、必要に応じて任意に設置することができ、例えば、カスケード接続と並列接続との組み合わせ又は他の形式に設置することができる。上述した表示チャネルと情報チャネルは互いに独立したチャネルとして示されているが、本開示の実施形態はこれに限定されない。また、上記実施形態における各サブ表示画面Ｄは同じであってもよく、例えば、同じ解像度を有し、さらに同じ構造や同じ配置を有してもよいが、本開示の実施形態はこれに限定されない。幾つかの実施形態では、各サブ表示画面は異なってもよく、例えば、異なる解像度、異なる構造、異なる配置及び／又は異なる用途などを有してもよい。さらに、図３Ａ、３Ｂ及び３Ｃにおける情報チャネルの第２トポロジーは、表示チャネルの第１トポロジーとは異なるが、本開示の実施形態はこれに限定されない。第２トポロジーは、第１トポロジーとは独立して設置されてもよく、第１トポロジーと同じであってもよいし、第１トポロジーと異なっていてもよい。当然のことながら、他の最適化方法によって第２トポロジーを第１トポロジーに近づけることで、後続の計算を簡単化することは排除されるものではない。
【００３６】
図２に戻って、検知装置２２０は、表示画面２１０の基本情報を取得し、前記基本情報及び前記第２トポロジーに基づいて前記第１トポロジーを確定するために用いられる。図２に示されるように、検知装置２２０は、情報抽出モジュール２２０１及び検知モジュール２２０２を含むことができる。
情報抽出モジュール２２０１は、表示画面の基本情報を取得し、各サブ表示画面２１０により受信された検知画像のデータを、情報チャネルを介して受信するために用いられる。前記基本情報は、表示画面２１０及び各サブ表示画面Ｄの解像度を含む。この基本情報に基づいて、表示画面２１０において水平方向に含まれるサブ表示画面Ｄの数、及び垂直方向に含まれるサブ表示画面Ｄの数を算出することができる。なお、これらの基本情報は、様々な手段で取得されてもよく、例えば、情報チャネルを介して表示画面２１０及び／又は各サブ表示画面Ｄから読み取られてもよく、ユーザにより直接設定されてもよい。本実施形態では、サブ表示画面の解像度は各サブ表示画面Ｄに記憶して、情報抽出モジュール２２０１により情報チャネルを介して各サブ表示画面Ｄから読み取ることができる。表示画面２１０全体の解像度は人為的に設定されてもよく、例えば、ユーザにより必要に応じて直接設定されてもよい。ここで、ユーザは、表示画面２１０をデバッグする任意の人（設計者、取付・デバッグ担当者、メンテナンス担当者などを含む）を包含する。例えば、完全に同じサブ表示画面Ｄを採用する場合、組立時に必要に応じて任意のサイズの表示画面２１０を組み立てることができ、表示画面２１０全体の解像度を人為的に設定することはさらに簡単且つ正確になる。
【００３７】
検知モジュール２２０２は、情報抽出モジュール２２０１からの基本情報に基づいて検知画像を生成し、表示チャネルを介して表示画面２１０の各サブ表示画面Ｄに提供し、前記第２トポロジーと情報抽出モジュール２２０１からの各サブ表示画面Ｄにより受信された検知画像のデータとに基づいて、第１トポロジーを確定するために用いられる。前記検知画像は、表示画面２１０の画素点の位置に関連する情報を運ぶ。
【００３８】
図４Ａは、本開示の１つの実施形態による検知画像の模式図を示す。図４Ａに示されるように、検知画像はｍ×ｎマトリックスであり、ｍはマトリックスの行数であり、ｎはマトリックスの列数であり、ｍとｎはいずれも１より大きい整数であり、具体的な数値は表示画面２１０の解像度に基づいて確定するものである。例えば、表示画面２１０の解像度は３８４０×２１６０である場合、ｍとｎはそれぞれ３８４０と２１６０であってもよく、即ち、マトリックス中の各データ要素ｅは、表示画面２１０上の１つの画素点に対応する。当然のことながら、ｍとｎは、表示画面２１０の解像度を均等にスケールされたものであってもよい。検知画像は、表示画面２１０の解像度及び各サブ表示画面Ｄの解像度に基づいて複数のサブマトリックスに分割され、各サブマトリックスは１つのサブ表示画面Ｄに対応する。例えば、３８４０×２１６０の表示画面２１０に対して、３×３アレイを形成する９個のサブ表示画面Ｄの解像度が同じで、いずれも１２８０×７２０である場合、３８４０×２１６０の検知画像を、サブ表示画面Ｄ１１、Ｄ１２、Ｄ１３、Ｄ２１、Ｄ２２、Ｄ２３、Ｄ３１、Ｄ３１、Ｄ３３にそれぞれ対応する３×３の９個のサブマトリックスＥ１１、Ｅ１２、Ｅ１３、Ｅ２１、Ｅ２２、Ｅ２３、Ｅ３１、Ｅ３２、Ｅ３３（以下、サブセクションＥと総称する）に分割することができる。９個のサブマトリックスＥは、予め設定された第３トポロジー、例えば、Ｅ１１、Ｅ１２、Ｅ１３、Ｅ２３、Ｅ２２、Ｅ２１、Ｅ３１、Ｅ３２、Ｅ３３の順序（図４Ａ中の矢印線で示す）に従って順序付けられ。各サブマトリックスＥにおけるデータ要素は、該サブマトリックスＥのマトリックス全体における位置を示す。例えば、Ｅ１１のデータ要素はいずれも｛０，０｝であり、Ｅ１１がマトリックス全体の１行１列目に位置することを示す。Ｅ１２のデータ要素はいずれも｛０，１｝であり、Ｅ１２がマトリックス全体の１行２列目に位置することを示す。Ｅ１３のデータ要素はいずれも｛０，２｝であり、Ｅ１３がマトリックス全体の１行３列目に位置することを示す。以降もこれに準じて類推する。
【００３９】
図４Ｂは、本開示の別の実施形態による検知画像データの模式図を示す。図４Ａと同様に、図４Ｂの検知画像データはｍ×ｎマトリックスであり、ｍとｎは表示画面２１０の解像度に基づいて確定するものである。例えば、表示画面２１０の解像度は３８４０×２１６０である場合、ｍとｎはそれぞれ３８４０と２１６０であることができる。即ち、マトリックス中の各データ要素ｅは、表示画面２１０上の１つの画素点に対応する。当然のことながら、ｍとｎは、表示画面２１０の解像度を均等にスケールされたものであってもよい。検知画像データは、表示画面２１０の解像度及び各サブ表示画面Ｄの解像度に基づいて複数のサブマトリックスに分割され、各サブマトリックスは１つのサブ表示画面Ｄに対応する。図４Ｂの実施形態における各サブマトリックスの解像度は以下のとおりである。例えば、３８４０×２１６０の表示画面２１０に対して、３×３アレイを形成する９個のサブ表示画面Ｄの解像度が同じで、いずれも１２８０×７２０である場合、３８４０×２１６０の検知画像を、サブ表示画面Ｄ１１、Ｄ１２、Ｄ１３、Ｄ２１、Ｄ２２、Ｄ２３、Ｄ３１、Ｄ３１、Ｄ３３にそれぞれ対応する３×３の９個のサブマトリックスＥ１１、Ｅ１２、Ｅ１３、Ｅ２１、Ｅ２２、Ｅ２３、Ｅ３１、Ｅ３２、Ｅ３３（以下、サブセクションＥと総称する）に分割することができる。９個のサブマトリックスＥは、予め設定された第３トポロジー、例えば、Ｅ１１、Ｅ１２、Ｅ１３、Ｅ２３、Ｅ２２、Ｅ２１、Ｅ３１、Ｅ３２、Ｅ３３の順序（図４Ｂ中の矢印線で示す）に従って順序付けられ。図４Ａとは異なり、図４Ｂのマトリックス中の各データ要素は、前記表示画面の１つの画素点の位置を示す。例えば、マトリックスの１行１列目のデータ要素は｛０，０｝であり、表示画面２１０の１行１列目の画素点の位置に対応する。マトリックスの１行２列目のデータ要素は｛０，１｝であり、表示画面２１０の１行２列目の画素点の位置に対応する。以降もこれに準じて類推する。
【００４０】
図４Ａと図４Ｂでは、３×３マトリックスを例として説明したが、本開示の実施形態はこれに限定されず、検出画像データの分割は、表示画面２１０とサブ表示画面Ｄとの解像度比によって異なることを当業者は理解すべきである。上記の説明を簡単にするために、各サブ表示画面Ｄの解像度が等しい場合について説明したが、各サブ表示画面の解像度は、必要に応じて任意に設定することができ、等しくても等しくなくてもよく、部分的に等しくても等しくなくてもよいことが当業者には明らかである。また、図４Ａと図４Ｂの第３トポロジーはいずれも行でカスケード接続（図４Ａと図４Ｂの矢印線で示す）されるものであるが、本開示の実施形態はそれに限定されないことが当業者には明らかである。第３トポロジーは、必要に応じて、例えば、列に従うカスケード接続、並列接続、カスケード接続と並列接続との組み合わせなど、任意の形式に設定することができる。第３トポロジーは、第１トポロジー及び第２トポロジーとは独立して設定することができる。第２トポロジーと第３トポロジーが既知である場合に第１トポロジーを推定できる限り、三者は互いに異なってもよく、もちろん、同じであっても類似していてもよい。
【００４１】
図５は、図２における検知モジュール２２０２の一例を示す。図５に示されるように、検知モジュール２２０２は、画像生成ユニット２２０２−１及びトポロジー計算ユニット２２０２−２を含むことができる。画像生成ユニット２２０２−１は、表示画面２１０及び各サブ表示画面Ｄの解像度に基づいて検知画像、例えば、図４Ａ又は図４Ｂに示される検知画像を生成するために用いられる。トポロジー計算ユニット２２０２−２は、前記第２トポロジーに基づいて各サブ表示画面のアレイにおける位置を確定し、各サブ表示画面Ｄにより受信された検知画像データとサブ表示画面Ｄのアレイにおける位置との関係に基づいて第３トポロジーを調整して、第１トポロジーを得るために用いられる。
【００４２】
第１トポロジーを検知するとき、情報抽出モジュール２２０１は、情報チャネルを介して表示画面２１０の基本情報、例えば、表示画面２１０の解像度、各サブ表示画面Ｄの解像度などを抽出することができる。検知モジュール２２０２は、情報抽出モジュール２２０１からの基本情報に基づいて検知画像を生成し、表示チャネルを介して表示画面２１０の各サブ表示画面Ｄに提供する。検知画像は、表示画面２１０の画素点の位置に関連する情報を運ぶ。例えば、検知画像は複数のサブセクションに分割することができる。各サブセクションは、１つのサブ表示画面Ｄに対応し、予め設定された第３トポロジーに従って順序付けられる。各サブセクションはそれぞれこの順序に従って、対応するサブ表示画面Ｄにより受信される。情報抽出モジュール２２０１は、情報チャネルを介して、各サブ表示画面Ｄにより受信された検知画像のデータを受信して検知モジュール２２０２に提供する。検知モジュール２２０２は、情報チャネルの接続構造（即ち、第２トポロジー）及び各サブ表示画面Ｄにより受信された検知画像のデータに基づいて第１トポロジーを確定する。
【００４３】
以下、図３Ａの表示画面トポロジー及び図４Ａの検知画像を例として、第１トポロジーに対する推定を説明する。
【００４４】
図４Ａの検知画像は、生成後にサブ表示画面Ｄ１１に提供される。図３Ａに示される表示チャネルの接続方式（即ち、第１トポロジー）によれば、サブ表示画面Ｄは、Ｄ１１、Ｄ２１、Ｄ３１、Ｄ３２、Ｄ２２、Ｄ１２、Ｄ１３、Ｄ２３、Ｄ３３の順序に従って、検知画像データの対応するサブセクションＥを受信する。図４Ａの順序付け方式（即ち、第３トポロジー）によれば、対応するサブセクションＥは、Ｅ１１、Ｅ１２、Ｅ１３、Ｅ２３、Ｅ２２、Ｅ２１、Ｅ３１、Ｅ３２、Ｅ３３の順序に従って配置される。それは、サブ表示画面Ｄ１１、Ｄ２１、Ｄ３１、Ｄ３２、Ｄ２２、Ｄ１２、Ｄ１３、Ｄ２３、Ｄ３３がこの順序でそれぞれ検知画像データのサブセクションＥ１１、Ｅ１２、Ｅ１３、Ｅ２３、Ｅ２２、Ｅ２１、Ｅ３１、Ｅ３２、Ｅ３３を受信することを意味する。
【００４５】
情報チャネルは既知であり、即ち、情報チャネルの接続方式及び情報伝送方式は既知であるため、情報チャネルを介して、あるサブ表示画面Ｄから該サブ表示画面Ｄにより受信された検知画像データのサブセクションＥを読み取ると、該サブセクションＥがどのサブ表示画面Ｄからのものであるかを知ることができる。即ち、あるサブ表示画面ＤからのサブセクションＥを受信すると、該サブ表示画面Ｄの表示画面２１０全体における位置を知ることができる。例えば、情報チャネルの接続関係は、確定されたものであり、情報チャネルの情報伝送方式も、確定されたものである（例えば、システムの設計時に確定することができる。例えば、接続順序で情報を返送するように設計することができる。即ち、接続関係中の１番目のサブ表示画面は最初に情報を返送し、次に２番目のサブ表示画面は情報を返送するように、情報を返送する）。これにより、各サブ表示画面Ｄの表示画面２１０における位置を判定することができる。例えば、図３Ａの場合、情報チャネルを介して順に読み取られる第１組の情報、第２組の情報、第３組の情報……第９組の情報は、それぞれサブ表示画面Ｄ１１、Ｄ２１、Ｄ３１、Ｄ３２、Ｄ２２、Ｄ１２、Ｄ１３、Ｄ２３、Ｄ３３からの情報であることを確定することができる。図３Ｂの場合、情報チャネルを介して順に読み取られる第１組の情報、第２組の情報、第３組の情報……第９組の情報は、それぞれサブ表示画面Ｄ１１、Ｄ１２、Ｄ１３、Ｄ２３、Ｄ２２、Ｄ２１、Ｄ３１、Ｄ３２、Ｄ３３からの情報であることを確定することができる。図３Ｃの場合、各サブ表示画面の情報チャネルは独立しているので、各情報チャネルからの情報に対応するサブ表示画面を明らかに知ることができる。例えば、情報チャネルＴ１１から読み取られる情報はサブ表示画面Ｄ１１からのものであり、情報チャネルＴ１２から読み取られる情報はサブ表示画面Ｄ１２からのものである。以降もこれに準じて類推する。
【００４６】
一方、各サブセクションＥ中のデータ要素は、該サブセクションの検知画像全体における位置を表すことができるので、あるサブ表示画面ＤからのサブセクションＥを受信すると、該サブセクションＥの検知画像全体における位置を知ることもできる。例えば、各サブセクションＥ中の指定位置（例えば、１行１列目）のデータ要素値を読み取ることができる。図４Ａの検知画像に対して、データ要素値が｛０，０｝である場合、サブセクションはＥ１１である（即ち、１行１列目に位置する）ことが示される。データ要素値が｛２，１｝である場合、該サブセクションはＥ３２である（即ち、３行２列目に位置する）ことが示される。以降もこれに準じて類推する。当然のことながら、図４Ｂの検知画像も適用可能である。例えば、上記の３８４０×２１６０マトリックスが９個の３×３サブマトリックスに均等に分割されると、データ要素値が｛０，０｝である場合、該サブセクションはＥ１１であり（即ち、１行１列目に位置し）、データ要素値が｛０，１２８０｝である場合、該サブセクションはＥ１２であり（即ち、１行２列目に位置し）、以降もこれに準じて類推する。
【００４７】
以上により、検知モジュール２２０２は、サブ表示画面Ｄ１１、Ｄ２１、Ｄ３１、Ｄ３２、Ｄ２２、Ｄ１２、Ｄ１３、Ｄ２３、Ｄ３３がこの順序でそれぞれ検知画像データのサブセクションＥ１１、Ｅ１２、Ｅ１３、Ｅ２３、Ｅ２２、Ｅ２１、Ｅ３１、Ｅ３２、Ｅ３３を受信するという対応関係を取得することができる。
【００４８】
個の対応関係に基づいて、第３トポロジーを調整して、最終的に第１トポロジーを得ることができる。例えば、上述した対応関係について、検知画像データの各サブセクションＥの順序をＥ１１、Ｅ２１、Ｅ３１、Ｅ３２、Ｅ２２、Ｅ１２、Ｅ１３、Ｅ２３、Ｅ３３に調整して、サブ表示画面Ｄが表示チャネルを介して接続される順序（即ち、第１トポロジー）と一致させることによって、第１トポロジーを確定することができる。
【００４９】
上記で１行目及び１列目を指定位置としたが、本開示の実施形態はこれに限定されず、必要に応じて所望の指定位置、例えば１行２列目、最終行最終列などを任意に選択することができる。また、上記で図４Ａ及び図４Ｂを例として説明したが、本開示の実施形態はこれに限定されず、当業者であれば、必要に応じて任意の適切な検知画像を選択して検知を行うことができる。
【００５０】
図６は、本開示の別の実施形態による表示デバイスの構造ブロック図を示す。図６の表示デバイス６００は、図２の表示デバイス２００と同様であり、区別は少なくとも、表示デバイス６００が表示画面６１０及び検知装置６２０に加えて、表示データ送信装置６３０を備えることである。また、検知装置６２０は、図２の検知装置２２０と構造的に異なる。説明の明確化のために、区別部分のみが以下に詳細に説明され、同じ部分の説明は省略又は簡略化される。
【００５１】
図６に示されるように、表示デバイス６００は、表示画面６１０、検知装置６２０及び表示データ送信装置６３０を備える。表示画面６１０は表示画面２１０と同じであり、例えば、上記図３Ａ〜図３Ｃに説明された任意の表示画面であってもよい。検知装置６２０は、図２の検知装置２２０と同様に、情報チャネルを介して表示画面６１０の基本情報を抽出し、前記基本情報及び前記第２トポロジーに基づいて前記第１トポロジーを確定するために用いられる。表示データ送信装置６３０は、検知装置６２０により確定された第１トポロジーに従って表示データを順序付け且つ表示チャネルを介して表示画面６１０に提供するために用いられる。
【００５２】
図２の検知装置２２０とは異なり、図６の検知装置６２０は、情報抽出モジュール６２０１、検知モジュール６２０２及び切換モジュール６２０３を含む。
【００５３】
情報抽出モジュール６２０１は、図２の情報抽出モジュール２２０１と同様に、前記情報チャネルを介して表示画面６１０の基本情報を抽出し、各サブ表示画面Ｄにより受信された検知画像のデータを、情報チャネルを介して読み取るために用いられる。
【００５４】
検知モジュール６２０２は、図２の検知モジュール２２０２と同様に、情報抽出モジュール６２０１からの基本情報に基づいて検知画像を生成し、表示チャネルを介して表示画面６１０の各サブ表示画面Ｄに提供し、前記第２トポロジーと情報抽出モジュール６２０１からの各サブ表示画面Ｄにより受信された検知画像のデータとに基づいて、第１トポロジーを確定するために用いられる。幾つかの実施形態において、検知モジュール６２０２は、図５に示される構造を採用して、画像生成ユニット２２０２−１及びトポロジー計算ユニット２２０２−２を含むことができる。画像生成ユニット２２０２−１は、情報抽出モジュール６２０１に接続されており、情報抽出モジュール６２０１により提供された表示画面２１０及び各サブ表示画面Ｄの解像度に基づいて検知画像、例えば図４Ａ又は図４Ｂに示される検知画像を生成するために用いられる。トポロジー計算ユニット２２０２−２は、情報抽出モジュール６２０１及び表示データ送信装置６３０に接続されており、第２トポロジーに基づいて各サブ表示画面６１０のアレイにおける位置を確定し、各サブ表示画面Ｄにより受信された検知画像データとサブ表示画面Ｄのアレイにおける位置との関係に基づいて第３トポロジーを調整して、第１トポロジー（例えば、図２の実施形態において図３Ａ、図４Ａ及び図４Ｂを参照して説明された上記推定方法を用いる）を取得し、取得した第１トポロジーを表示データ送信装置６３０に提供するために用いられる。
【００５５】
切換モジュール６２０３は、検知モジュール６２０２及び表示データ送信装置６３０を表示画面６１０の表示チャネルに切換可能に接続するために用いられ、具体的には、検知段階で検知モジュール６２０２（例えば、検知モジュール６２０２の画像生成ユニット２２０２−１）を表示画面６１０の表示チャネルに接続し、表示段階で表示データ送信装置６３０を表示画面６１０の表示チャネルに接続する。
【００５６】
第１トポロジーを検知するとき、情報抽出モジュール６２０１は、情報チャネルを介して表示画面６１０の基本情報、例えば、表示画面６１０の解像度、各サブ表示画面Ｄの解像度などを抽出することができる。検知モジュール６２０２は、情報抽出モジュール６２０１からの基本情報に基づいて検知画像を生成する。検知画像は、表示画面６１０の画素点の位置に関連する情報を運ぶ。例えば、検知画像は複数のサブセクションに分割することができる。各サブセクションは、１つのサブ表示画面Ｄに対応し、予め設定された第３トポロジーに従って順序付けられる。検知モジュール６２０２は、検知画像を生成した後に、切換モジュール６２０３をトリガして検知モジュール６２０２を表示画面６１０に表示チャネルに接続することで、検知モジュール６２０２により生成された検知画像は表示チャネルを介して表示画面６１０の各サブ表示画面Ｄに提供される。各サブセクションはそれぞれこの順序に従って、対応するサブ表示画面Ｄにより受信される。情報抽出モジュール６２０１は、情報チャネルを介して、各サブ表示画面Ｄにより受信された検知画像のデータを受信して検知モジュール６２０２に提供する。検知モジュール６２０２は、情報チャネルの接続構造（即ち、第２トポロジー）及び各サブ表示画面Ｄにより受信された検知画像のデータに基づいて第１トポロジーを確定し、確定した第１トポロジーを表示データ送信装置６３０に提供する。このとき、検知が完了し、切換モジュール６２０３は表示データ送信装置６３０を表示画面６１０の表示チャネルに接続する。表示データ送信装置６３０は、検知モジュール６２０２により提供された第１トポロジーに従って表示データを順序付け且つ表示チャネルを介して表示画面６１０の各サブ表示画面Ｄに提供する。
【００５７】
上述の実施形態では、検知画像の生成及び第１トポロジーの確定によって切換モジュール６２０３の切り換えをトリガし、即ち、検知画像の生成を検知段階の開始とし、第１トポロジーの確定を表示段階の開始としたが、本開示の実施形態はこれに限定されず、ここでの検知段階及び表示段階は、必要に応じて任意に設定されてもよい。例えば、表示デバイス６００の起動時に、切換モジュール６２０３は検知モジュール６２０２に切換され、表示デバイス６００のすべてのデバッグが完了するときに、切換モジュール６２０３は表示データ送信装置６３０に切換えられる。例えば、幾つかの実施形態では、第１トポロジーを確定した後、通常の映像又は画像表示を直ちに実行することが望ましくない場合がある。例えば、確定された第１トポロジーを調整したり、他の部材をデバッグしたり、他の作業を行う必要がある場合がある。そのため、任意の所望のイベントを表示段階に入るためのトリガとすることができ、作業者が必要に応じて手動で切換モジュール６２０３を表示データ送信装置６３０に切換えることができるように専用の手動トリガ装置を設置することもできる。
【００５８】
図７は、本開示の実施例による表示制御方法７００の概略フローチャートを示す。この方法は、上記の表示画面２１０及び６１０の実施形態のいずれにも適用することができる。
【００５９】
ステップＳ７０１では、情報チャネルを介して表示画面の基本情報、例えば、表示画面の解像度、各サブ表示画面の解像度などを抽出することができる。情報チャネルは、第２トポロジーに従って表示画面の各サブ表示画面の間に配置されてもよい。例えば、図３Ａ〜図３Ｃを参照して上述した方式で情報チャネルを配置することができ、当然のことながら、任意の他の所望の方式で情報チャネルを配置することもできる。各サブ表示画面の間の表示チャネルの接続方式（第１トポロジー）は未知又は部分的に未知であるが、既知の接続方式（第２トポロジー）に従って各サブ表示画面の間に情報チャネルを追加接続することによって、情報伝送中にサブ表示画面の位置に関連する情報を取得して、表示チャネルの接続方式を推定することができる。
【００６０】
ステップＳ７０２では、表示画面の基本情報を基づいて検知画像、例えば、上記の図４Ａ及び図４Ｂを参照して説明した検知画像を生成する。
【００６１】
ステップＳ７０３では、検知画像を表示画面に提供して、表示チャネルを介して表示画面の各サブ表示画面に検知画像を提供する。各サブセクションはそれぞれこの順序に従って、対応するサブ表示画面により受信される。図３Ａの表示画面トポロジー及び図４Ａの検知画像を例として、図４Ａの検知画像は、生成後にサブ表示画面Ｄ１１に提供される。図３Ａに示されるチャネルの接続方式（即ち、第１トポロジー）によれば、サブ表示画面Ｄは、Ｄ１１、Ｄ２１、Ｄ３１、Ｄ３２、Ｄ２２、Ｄ１２、Ｄ１３、Ｄ２３、Ｄ３３の順序に従って、検知画像データの対応するサブセクションＥを受信する。図４Ａの順序付け方式（即ち、第３トポロジー）によれば、対応するサブセクションＥは、Ｅ１１、Ｅ１２、Ｅ１３、Ｅ２３、Ｅ２２、Ｅ２１、Ｅ３１、Ｅ３２、Ｅ３３の順序に従って配置される。それは、サブ表示画面Ｄ１１、Ｄ２１、Ｄ３１、Ｄ３２、Ｄ２２、Ｄ１２、Ｄ１３、Ｄ２３、Ｄ３３がこの順序でそれぞれ検知画像データのサブセクションＥ１１、Ｅ１２、Ｅ１３、Ｅ２３、Ｅ２２、Ｅ２１、Ｅ３１、Ｅ３２、Ｅ３３を受信することを意味する。
【００６２】
ステップＳ７０４では、情報チャネルを介して、各サブ表示画面により受信された検知画像のデータを読み取る。例えば、検知画像の各サブセクションＥ中の指定位置（例えば、１行１列目）のデータ要素値を読み取ることができる。図４Ａの検知画像に対して、データ要素値が｛０，０｝である場合、サブセクションはＥ１１である（即ち、１行１列目に位置する）ことが示される。データ要素値が｛２，１｝である場合、該サブセクションはＥ３２である（即ち、３行２列目に位置する）ことが示される。以降もこれに準じて類推する。当然のことながら、図４Ｂの検知画像も適用可能である。例えば、上記の３８４０×２１６０マトリックスが９個の３×３サブマトリックスに均等に分割されると、データ要素値が｛０，０｝である場合、該サブセクションはＥ１１であり（即ち、１行１列目に位置し）、データ要素値が｛０，１２８０｝である場合、該サブセクションはＥ１２であり（即ち、１行２列目に位置し）、以降もこれに準じて類推する。上記で１行目及び１列目を指定位置としたが、本開示の実施形態はこれに限定されず、必要に応じて所望の指定位置、例えば１行２列目、最終行最終列などを任意に選択することができる。また、上記で図４Ａ及び図４Ｂを例として説明したが、本開示の実施形態はこれに限定されず、当業者であれば、必要に応じて任意の適切な検知画像を選択して検知を行うことができる。
【００６３】
ステップＳ７０５では、情報チャネルの接続構造（即ち、第２トポロジー）及び各サブ表示画面により受信された検知画像のデータに基づいて第１トポロジーを確定する。
【００６４】
上述したように、情報チャネルの接続方式及び情報伝送方式は既知であるため、情報チャネルを介してあるサブ表示画面から該サブ表示画面により受信された検知画像データのサブセクションを読み取る場合、該サブセクションはどのサブ表示画面からのものであるか知ることができる。即ち、情報チャネルを介してあるサブ表示画面から該サブ表示画面により受信されたサブセクションを読み取ると、既知の第２トポロジーに基づいて該サブ表示画面の表示画面全体における位置を知ることができる。一方、各サブセクションＥ中のデータ要素は、該サブセクションの検知画像全体における位置を表すことができるため、情報チャネルを介してあるサブ表示画面から該サブ表示画面により受信されたサブセクションを読み取ると、該サブセクションの検知画像全体における位置を知ることができる。以上より、各サブ表示画面とそれぞれの受信された検知画像のサブセクションとの間の対応関係を取得することができる。例えば、図３Ａ及び図４Ａを参照して上述した例の場合には、サブ表示画面Ｄ１１、Ｄ２１、Ｄ３１、Ｄ３２、Ｄ２２、Ｄ１２、Ｄ１３、Ｄ２３、Ｄ３３がこの順序でそれぞれ検知画像データのサブセクションＥ１１、Ｅ１２、Ｅ１３、Ｅ２３、Ｅ２２、Ｅ２１、Ｅ３１、Ｅ３２、Ｅ３３を受信するという対応関係を取得することができる。
【００６５】
この対応関係に基づいて、第３トポロジーを調整して、最終的に第１トポロジーを得ることができる。一例として、以下の方法を採用して第３トポロジーを調整することができる。サブ表示画面により受信されたサブマトリックスのマトリックスにおける位置が該サブ表示画面のアレイにおける位置と一致していない場合、第３トポロジーにおいて、該サブマトリックスを、該サブ表示画面のアレイにおける位置に対応するサブマトリックスに置換する。例えば、上述した対応関係について、検知画像データの各サブセクションＥの順序をＥ１１、Ｅ２１、Ｅ３１、Ｅ３２、Ｅ２２、Ｅ１２、Ｅ１３、Ｅ２３、Ｅ３３に調整して、サブ表示画面が表示チャネルを介して接続される順序（即ち、第１トポロジー）と一致させることによって、第１トポロジーを確定することができる。このようにして、第１トポロジーの検知が完了する。この第１トポロジーに基づいて、様々な他の処理、操作及び／又は計算を行うことができる。例えば、以下のステップＳ７０６及びＳ７０７を実行して、表示デバイスのデバッグを完了させることができる。
【００６６】
ステップＳ７０６では、ステップＳ７０５で確定された第１トポロジーに従って表示データを順序付ける。例えば、検知画像と同じ分割方式で表示データを分割し、ステップＳ７０５で確定された第１トポロジーに従って分割された表示データを順序付けることができる。例えば、図３Ａ及び図４Ａを参照して上述した例の場合には、図４Ａに示される分割方式に従ってデータの各画面を表示し、Ｅ１１、Ｅ２１、Ｅ３１、Ｅ３２、Ｅ２２、Ｅ１２、Ｅ１３、Ｅ２３、Ｅ３３の順序に従って、分割された画面を順序付けることができる。これにより、表示画面に提供された表示データの分割及び順序付けは、各サブ表示画面の解像度及び表示チャネルの接続方式と一致し、さらに、表示画面全体は表示を正確に行うことができる。
【００６７】
ステップＳ７０７では、順序付けられた表示データを、表示チャネルを介して表示画面の各サブ表示画面に提供する。
【００６８】
上述した実施例は、特定の順序で各ステップを説明したが、本開示の実施例はこれに限定されず、当業者によって変更することができる。例えば、ステップＳ７０５とＳ７０７との間に、例えば、ステップＳ７０５で取得された第１トポロジーを修正し、他の部材をデバッグし、ユーザ命令を待つなどの他の操作を行うことができる。また、ステップＳ７０５で第１トポロジーを取得した後、ステップＳ７０６及びＳ７０７に限定されず、第１トポロジーに基づいて任意の必要な操作を行うことができる。例えば、第１トポロジーに基づいて、各サブ表示画面の接続方式を分析及び最適化し、各サブ表示画面の配置情報を調整し、及び／又は他の情報と組み合わせて計算、処理及び調整などを行うことができる。別の例として、ステップＳ７０５とステップＳ７０６との間に、第１トポロジーの最適化及び調整を行って、より正確な第１トポロジーの検知結果を得ることができる。他の例として、ステップＳ７０５とＳ７０７との間に、他の部材のデバッグ、処理及び／又は他の操作を行うことができ、ステップＳ７０７の前に専用の表示命令を待つこともできる。
【００６９】
本開示の実施形態によれば、各サブ表示画面の間に既知の方式で各サブ表示画面と情報を伝送可能な情報チャネルを接続し、これに基づいて各サブ表示画面の間の表示チャネルの接続トポロジーを推定することによって、接続トポロジーの自動検知を実現することができる。
【００７０】
本開示の実施形態によれば、接続トポロジーを自動検知し、これに従って表示データを配置することによって、迅速かつ正確な自動デバッグを実現することができ、従来の手動デバッグ方式と比較して、デバッグ時間を大幅に節約することができる。
【００７１】
本開示の実施形態によれば、情報チャネルの種類と接続方式及び検知画像のフォーマットと内容は、必要に応じて自由に選択することができ、ユーザがトポロジーの検知及びシステムのデバッグをより柔軟かつ効率的に実現することが容易にされる。
【００７２】
上述は、単に本開示の好ましい実施形態であり、本開示を限定するものではなく、種々の変形及び変更が当業者になされ得る。本開示の趣旨と原理内で行われるすべての補正、同等置換、改善などは、いずれも本開示の保護範囲内に含まれるべきである。
【図１Ａ】
2019045837.tif 000003
【図１Ｂ】
2019045837.tif 000004
【図２】
2019045837.tif 000005
【図３Ａ】
2019045837.tif 000006
【図３Ｂ】
2019045837.tif 000007
【図３Ｃ】
2019045837.tif 000008
【図４Ａ】
2019045837.tif 000009
【図４Ｂ】
2019045837.tif 000010
【図５】
2019045837.tif 000011
【図６】
2019045837.tif 000012
【図７】
2019045837.tif 000013